(57)【特許請求の範囲】
【請求項１】
縦部材と横部材とを組み合わせてなる金属製の軸組が、基礎とその上方に位置する梁との間に設置され、その下端部の横部材が基礎上に突出したアンカーボルトに固定された当該軸組を取り替える取替え方法であって、
上記アンカーボルトの基礎より突出した部分を切断、除去した後、前記軸組を基礎と梁との間から斜め下方へ牽引して屋外側へ取り出し、続いて、上記基礎上に新たなアンカーボルトを前記切断したアンカーボルトが植設されている位置から外れた近傍に植設した後、上記基礎上に金属製の土台を設置して新たなアンカーボルトに固定し、引き続き、この土台と前記梁との間に元の軸組より前記土台の上下幅分だけ上下幅の短い新たな軸組を挿入して、下端部の横部材を前記土台に、縦部材を隣接する軸組の縦部材にそれぞれ固定することを特徴とする軸組取替え方法。
【発明の詳細な説明】
【０００１】
【発明の属する技術分野】
本発明は、鉄骨造りの住宅等、金属製の構造材を有する住宅における軸組の取替え方法に関するものである。
【０００２】
【従来の技術】
図１に示すように、鉄骨造りの住宅においては、各々鋼製の縦部材（縦柱）１と横部材２とを組み合わせてなる軸組３を、コンクリート製の基礎４と該基礎４の上方に配置されたＨ型鋼等からなる梁５との間に配置し、基礎４から上方へ突出させたアンカーボルト６に軸組３の下端を横部材２の孔で挿通させ、該横部材２をナット７でアンカーボルト６に固定した構造のものが知られている（図１中拡大部Ａ参照）。
【０００３】
軸組３の縦部材１における上端部付近と下端部付近には各１対の孔１ａが設けられ、隣接する軸組３の対応する縦部材１同士が、孔１ａを挿通するボルト８及びナット９（図２参照）で互いに連結されるとともに、軸組３の上端の横部材２が該横部材２及び梁５に設けた孔を貫通するボルト８及びナット９で梁５に連結されている。なお、軸組３の屋外側には、外壁パネル１０が取り付けられる。
【０００４】
ところで、住宅の立地条件により、例えば、海岸の近くに建築された住宅等においては、建築後の年数が増すに伴って、軸組３が潮風に起因する錆等によって腐食する場合があり、その場合、軸組３を新品と交換する必要が生じる。また、住宅の増改築時にも、そのような軸組３の交換が必要な場合がある。
【０００５】
【発明が解決しようとする課題】
ところが、上記軸組３は基礎４上に突出したアンカーボルト６に固定されているため、軸組３の取り外しに際して軸組３の下端部がアンカーボルト６に干渉し、軸組３の交換を容易に行えない問題があった。
【０００６】
すなわち、軸組３の上端部の屋外側に障害物が存在しない場合、軸組３の上端部を屋外側へ傾斜させ、この状態で軸組３を斜め上方へ引き抜くことで、アンカーボルト６を損傷させることなく、軸組３を取り外すことも不可能ではないが、軸組３の上端部の屋外側に庇等が存在する場合、軸組３の取り外しが不可能となる。
【０００７】
【課題を解決するための手段】
本発明は前記の課題を解決するため、住宅の増改築時等における軸組の取替えを容易に行える軸組取替え方法を提供することを目的とする。
そのために、本発明の請求項１の軸組取替え方法は、縦部材と横部材とを組み合わせてなる金属製の軸組が、基礎とその上方に位置する梁との間に設置され、その下端部の横部材が基礎上に突出したアンカーボルトに固定された当該軸組を取り替える取替え方法であって、上記アンカーボルトの基礎より突出した部分を切断、除去した後、前記軸組を基礎と梁との間から斜め下方へ牽引して屋外側へ取り出し、続いて、上記基礎上に新たなアンカーボルトを前記切断したアンカーボルトが植設されている位置から外れた近傍に植設した後、上記基礎上に金属製の土台を設置して新たなアンカーボルトに固定し、引き続き、この土台と前記梁との間に元の軸組より前記土台の上下幅分だけ上下幅の短い新たな軸組を挿入して、下端部の横部材を前記土台に、縦部材を隣接する軸組の縦部材にそれぞれ固定することを特徴とするものである。
【０００８】
【発明の実施の形態】
以下、本発明の実施の形態を図面に基づいて説明する。図１及び図２に示すように、軸組３の周囲の構造は、上記従来例と同様であるので、ここでは重複した説明を省略する。なお、梁５の屋外側には、斜め下方へ延びる腕木１２が存在するため、通常は、この腕木１２を取り外すことなく、軸組３を取り外すことは不可能であるが、腕木１２を取り外す作業は極めて煩雑である。
【０００９】
以下、本実施の形態により、軸組３を交換する手順を説明する。まず、軸組３の交換の必要な箇所における外壁パネル１０を取り外す。続いて、図１中拡大部Ｂに示すように、アンカーボルト６に螺合しているナット７を取り外した後、アセチレンガス等を用いて、アンカーボルト６の基礎４の上面より上方へ突出した部位を切断する。
【００１０】
その後、当該軸組３と隣接する軸組３の対応する縦部材１同士を連結するボルト８及びナット９を取り外した後、図１中矢印Ｃに示すように、軸組３を斜め下方へ牽引して、屋外側へ取り出す。
【００１１】
次に、後述の鋼製土台１４を介して新たな軸組１５を取り付けるために、まず、基礎４上の元のアンカーボルト６の近傍に新たなアンカーボルト２０を植設する（図４参照）。このアンカーボルト２０の植設方法の一例は以下で詳述するが、十分な強度を得るために、ここでは、元の各１本のアンカーボルト６に対応させて各２本のアンカーボルト２０を埋め込む。
【００１２】
次に、図５乃至図７に示すように、各々水平な底壁１４ａ及び上壁１４ｂを有する断面コ字形の鋼製土台１４を基礎４上に配置する。この鋼製土台１４の両端部には、垂直方向の端部板１４ｃが取り付けられるとともに、この端部板１４ｃの内側に端部板１４ｃと平行に補強板１４ｄが底壁１４ａと上壁１４ｂとの間に設けられている。鋼製土台１４の取付時には、補強板１４ｄの両側で各々底壁１４ａに設けた孔を上記２本のアンカーボルト２０に挿通し、ナット７で鋼製土台１４をアンカーボルト２０に固定する。
【００１３】
鋼製土台１４の上下幅Ｈは、例えば、１５０ｍｍ程度とすることができ、上記端部板１４ｃには、隣接する軸組３の縦部材１の下端部側の１対の孔１ａに対応する１対の孔が形成されている。鋼製土台１４はこれらの孔を挿通するボルト８及びナット９によって隣接する軸組３における縦部材１の下端部に連結される。
【００１４】
鋼製土台１４の取付後、図８に示すように、この鋼製土台１４と梁５との間に新規の軸組１５を挿入する。この軸組１５は、元の軸組３と同様に縦部材１６と横部材１７とを組み合わせてなるが、元の軸組３に比べて鋼製土台１４の上下幅Ｈの分だけ上下幅が小さく設定されている。
【００１５】
軸組１５の下端部における横部材１７には、鋼製土台１４の上端部１４ｄに設けた孔に対応する孔が形成される一方、縦部材１６の上端部付近には、隣接する軸組３の縦部材１における上端部付近の孔１ａに対応する孔が設けられている。
【００１６】
そして、新たな軸組１５を鋼製土台１４と梁５との間に挿入した後、下端部における横部材１７をボルト８とナット９で鋼製土台１４に固定する一方、縦部材１６を隣接する軸組３の縦部材１にボルト８とナット９とで接続する。なお、図７中２８は、アンカーボルト６の植設部位で基礎４の上面に取り付けられたベースプレートであり、図示しないが、このベースプレート２８にはアンカーボルト６が貫通する孔が形成されている。
【００１７】
次に、元のアンカーボルト６を切断して軸組３を取り外した後、新たなアンカーボルト２０を基礎４上に植設する手順を説明する。まず、基礎４における元のアンカーボルト６の近傍にアンカーボルト２０を埋め込むための垂直な長孔を形成する必要がある。
【００１８】
その際、図９に示すような大略Ｌ字形の位置決め金具１９を、その垂直部に設けた孔と、取外し済みの元の軸組３に隣接する軸組３の縦部材１における下端部の孔１ａとを貫通するボルト８及びナット９で上記縦部材１に取り付ける。この位置決め金具１９の水平部には、上記基礎４に設けるべき１対の長孔に対応する位置に１対の孔１９ａが形成されている。
【００１９】
基礎４に上記長孔を穿孔する際には、電動式の回転駆動装置３０のチャッキング部４０に接続されたドリル５０を位置決め金具１９の孔１９ａに挿通して位置決めし、ドリル５０を回転させて基礎４に長孔４ａを穿孔する（図１０参照）。その後、長孔４ａ内の削りカスを不図示の集じん機に接続した吸引ホースで吸引除去して清掃する。
【００２０】
次に、アンカーボルト２０の構造を簡単に説明する。図１１に示すように、アンカーボルト２０は、ボルト外部２１とボルト内部２２からなり、ボルト外部２１は、筒状のスリーブ２１ａの一端に拡開可能な短冊状のエクスパンダー２１ｂを有するものである。
【００２１】
一方、ボルト内部２２は、前記スリーブ２１ａ内に嵌入される筒状のテンションスリーブ２３と、その一端に内嵌するコニカルボルト２４と、その他端に螺合する寸切りボルト２５からなる。このようなアンカーボルト２０は、使用前では、双方のスリーブ２１ａ、２３の他端面が段になっている。
【００２２】
これに対して、使用の際に、ボルト内部２２を固定してボルト外部２１に圧力を与えてコニカルボルト２４に向かって移動を強行すると、図１２に示すように、エクスパンダー２１ｂがコニカルボルト２４に形成されたテーパ部２４ａに沿って外側に拡開すると共に、双方のスリーブ２１ａ、２３の他端面が面一状態となる。
【００２３】
続いて、長孔４ａの底部の径を拡張する拡底作業につき説明する。この場合、上記ドリル５０に代えて、図１３に示すような拡底用ドリル６０を回転駆動装置３０のチャッキング部４０に取り付ける。ここでの拡底用ドリル６０は、その先端側に交換可能なブレード６１を有するもので、シャンク６２を押さえ込むことでブレード軸が先端側に移動すると共に刃先６１ａが外側に拡開する周知のものが使い勝手がよく適している。
【００２４】
拡底作業では、図１４に示すように、長孔４ａに拡底用ドリル６０を挿入して先端部を孔底に当接させる。そして、回転駆動装置３０を駆動して押し込むことで、ブレードを回転しながら序々に下げて刃先を拡開する。これによって、図１５に示すように、基礎４の長孔４ａは、その孔底の側方が部分的に末広がりに削りとられて拡底して拡底部４ｂが形成される。
【００２５】
この場合、ここでの拡底終了の目安は、拡底用ドリル６０の上下胴部６３ａ、６３ｂ間に隙間が無くなった時点とする。これによって、長孔４ａの拡底部４ｂの位置や大きさを一定に保つことができて標準設定が容易となる。拡底の終了後は、長孔４ａ内の削りカスを上記集じん機の吸引ホースで吸引除去して清掃する。
【００２６】
次に、アンカーボルト２０の固定について説明する。まず、基礎４に穿孔した長孔４ａにアンカーボルト２０を挿入するが、図１６に示すように、ここではボルト内部２２の寸切りボルト２５をテンションスリーブ２３から外す。そして、垂直に保持する打ち込み棒２７の下方に設けた細棒２７ａをテンションスリーブ２３内に挿入して直立載置する。
【００２７】
この状態で石頭ハンマー等で棒頭２７ｂを打撃して、図１７に示すように、ボルト外部２１のスリーブ２１ａの沈み込みに伴わせてエクスパンダー２１ｂをボルト内部２２のコニカルボルト２４のテーパ部２４ａに沿って外側に拡開して、長孔４ａの孔底に形成した拡底部４ｂに係止する。
【００２８】
このような状態では、アンカーボルト２０は基礎４の上端から突出することがなく、エクスパンダー２１ｂが長孔１１の拡底部１１ｂに係止されるので引き抜き耐力が付与されることになって、基礎１の長孔４ａから容易に抜け出ることはない。また、アンカーボルト２０の引き抜き耐力は、作業者による打ち込みによって影響することがなく一定するので、安定性及び信頼性が向上する。
【００２９】
なお、アンカーボルト２０の打ち込み後に寸切りボルト２５をテンションスリーブ２３に螺合するとともに、必要に応じて、アンカーボルト２０の周辺における基礎４の上面にベースプレート２８を取り付ければよい。このベースプレート２８には、寸切りボルト２５が貫通する孔を設けておく。
【００３０】
【発明の効果】
以上説明したように、本発明の請求項１の軸組取替え方法は、基礎とその上方に位置する梁との間に配置され、基礎上に突出したアンカーボルトに固定された金属製の軸組を取り替える取替え方法であって、上記アンカーボルトを切断、除去した後、軸組を基礎と梁との間から取り出し、続いて、上記基礎上に新たなアンカーボルトを植設した後、上記基礎上に金属製の土台を配置して新たなアンカーボルトに固定し、引き続き、この土台と梁との間に元の軸組より上下幅の短い新たな軸組を挿入して固定するものであり、軸組の交換に際してアンカーボルトを切断、除去するようにしたので、アンカーボルトとの干渉を生じることなく、軸組を容易に取り出せるようになる。
【００３１】
また、新たな軸組の取付に際して、まず、新たなアンカーボルトを基礎に植設し、このアンカーボルト用いて基礎上に土台を取り付けた後、該土台の分だけ上下幅を短くした新たな軸組を土台と梁間に固定するようにしたので、新たな軸組の取付も容易に行える。
【図面の簡単な説明】
【図１】本発明の実施の形態の住宅における軸組の周辺部を示す概略断面図。
【図２】上記軸組の周辺部を屋内側から示す概略正面図。
【図３】一部の軸組を取り外した状態を屋内側から示す概略正面図。
【図４】軸組を取外し位置の基礎に新たなアンカーボルトを植設した状態を屋内側から示す概略正面図。
【図５】上記新たなアンカーボルトを用いて基礎上に鋼製土台を取り付けた状態を屋内側から示す概略正面図。
【図６】上記鋼製土台の周辺部を拡大して示す一部破断斜視図。
【図７】図６のVII-VII線に沿う断面図。
【図８】上記鋼製土台上に新たな軸組を取り付けた状態を屋内側から示す概略正面図。
【図９】基礎に新たなアンカーボルトを埋め込むための長孔を設ける様子を示す一部破断斜視図。
【図１０】基礎に設けた長孔を示す断面図。
【図１１】上記長孔に埋め込む新たなアンカーボルトを示す拡大断面図。
【図１２】上記新たなアンカーボルトの下端部を拡径した様子を示す拡大断面図。
【図１３】上記長孔の底部を拡径するための拡底用ドリルを示す正面図。
【図１４】上記拡底用ドリルで長孔の底部を拡径する様子を示す断面図。
【図１５】上記長孔の底部を拡径した状態を示す断面図。
【図１６】上記長孔内に新たなアンカーボルトを打ち込む様子を示す断面図。
【図１７】上記長孔内に新たなアンカーボルトを打ち込んだ状態を示す断面図。
【符号の説明】
３  軸組
４  基礎
５  梁
６  アンカーボルト
１５  新たな軸組
２０  新たなアンカーボルト
【図１】
0003948648.tif 000002
【図２】
0003948648.tif 000003
【図３】
0003948648.tif 000004
【図４】
0003948648.tif 000005
【図５】
0003948648.tif 000006
【図６】
0003948648.tif 000007
【図７】
0003948648.tif 000008
【図８】
0003948648.tif 000009
【図９】
0003948648.tif 000010
【図１０】
0003948648.tif 000011
【図１１】
0003948648.tif 000012
【図１２】
0003948648.tif 000013
【図１３】
0003948648.tif 000014
【図１４】
0003948648.tif 000015
【図１５】
0003948648.tif 000016
【図１６】
0003948648.tif 000017
【図１７】
0003948648.tif 000018